(57)【要約】【課題】外装筐体の遮熱性を向上させることや騒音の低減化を図ることが可能なプロジェクタを提供することである。【解決手段】プロジェクタ１は、光源装置６１と、光源装置６１から射出された光束を画像情報に応じて変調して光学像を形成する光変調装置６５ａと、光変調装置６５ａで形成された光学像を投写する投写光学装置（投写レンズ６６）と、冷却用の冷却ファン２０と、光源装置６１、光変調装置６５ａ、投写レンズ６６、および冷却ファン２０を内部に収容する外装筐体１０と、を備え、外装筐体１０は、外装筐体１０のベースとなるベース筐体（アッパー筐体１２）と、アッパー筐体１２の所定の領域において間隙Ｓを確保して重なるカバー筐体１３と、を有する二重化構造として構成されている。【選択図】図４
2009128738.tif 000002
【特許請求の範囲】
【請求項１】
光源装置と、当該光源装置から射出された光束を画像情報に応じて変調して光学像を形成する光変調装置と、当該光変調装置で形成された前記光学像を投写する投写光学装置と、冷却用の冷却ファンと、前記光源装置、前記光変調装置、前記投写光学装置、および前記冷却ファンを内部に収容する外装筐体と、を備えたプロジェクタであって、
前記外装筐体は、当該外装筐体のベースとなるベース筐体と、当該ベース筐体の所定の領域において間隙を確保して重なるカバー筐体と、を有する二重化構造として構成されていることを特徴とするプロジェクタ。
【請求項２】
請求項１に記載のプロジェクタであって、
前記外装筐体は、前記所定の領域として、前記外装筐体内部に収容される前記光源装置と前記光変調装置と前記投写光学装置と前記冷却ファンとを含む前記プロジェクタの構成部材の、少なくともいずれか１つと対向する領域に前記二重化構造を有していることを特徴とするプロジェクタ。
【請求項３】
請求項１に記載のプロジェクタであって、
前記外装筐体は、前記所定の領域として、前記外装筐体に設置される操作用のスイッチの周辺領域に前記二重化構造を有していることを特徴とするプロジェクタ。
【請求項４】
請求項１〜請求項３のいずれか一項に記載のプロジェクタであって、
前記カバー筐体は、前記ベース筐体の外面側に設置されていることを特徴とするプロジェクタ。
【請求項５】
請求項１〜請求項４のいずれか一項に記載のプロジェクタであって、
前記二重化構造は、前記ベース筐体と前記カバー筐体とを溶着により固定して構成されていることを特徴とするプロジェクタ。
【発明の詳細な説明】
【技術分野】
【０００１】
本発明は、プロジェクタに関する。
【背景技術】
【０００２】
従来、プロジェクタは、光源装置と、光源装置から射出された光束を画像情報に応じて変調して光学像を形成する光変調装置と、光変調装置で形成された光学像を投写する投写光学装置と、冷却用の冷却ファンなどを有し、また、外装筐体の内部に、光源装置、光変調装置、投写光学装置、および冷却ファンなどを収容している。
【０００３】
このように構成されるプロジェクタは、発光による光源装置の発熱や、光源装置からの光束の照射による光変調装置の発熱などが生じるため、冷却ファンを用いて、プロジェクタの外部から空気を導入し、発熱した光源装置や光変調装置などに導入した空気を吹き付け、また、外装筐体内部の温まった空気をプロジェクタの外部に排気することで、光源装置や光変調装置などを冷却している。また、冷却ファンが動作することで、振動や動作音が発生し、プロジェクタにおける騒音となるため、冷却ファンを外装筐体などに固定する場合、動作による振動が外装筐体などに伝達しないように、外装筐体などと冷却ファンとの間に吸音部材などを介在させて、騒音対策を行っている。
【０００４】
特許文献１では、投写型映像表示装置（プロジェクタ）において、複数の冷却ファンと、外気導入用ダクトを形成するために装置筐体の底部から離間して二重底構造を成すように設けられた板部材と、を備え、各冷却ファンが外気導入用ダクトから外気を吸引することにより、静音化の向上を図ったプロジェクタが提示されている。
【０００５】
【特許文献１】特開２００５−２７４７３１号公報
【発明の開示】
【発明が解決しようとする課題】
【０００６】
従来のプロジェクタによると、冷却ファンにより外装筐体内部を冷却しても、光源装置や光変調装置などの発熱により、外装筐体が温められることがあり、ユーザがプロジェクタの外装筐体外面を触った場合などに、不快な熱さを感じさせることがあった。特に、プロジェクタの高輝度化が進むことで顕著となってきた。従って、外装筐体の遮熱性を向上させることが課題となっていた。また、外装筐体と冷却ファンとの間に吸音部材などを介在させて冷却ファンを固定しても、プロジェクタにおける騒音はあまり低減されていない。従って、騒音の低減化を図ることが課題となっていた。
【課題を解決するための手段】
【０００７】
本発明は、上述した課題の少なくとも一部を解決するためになされたものであり、以下の形態または適用例として実現することが可能である。
【０００８】
（適用例１）本適用例に係るプロジェクタは、光源装置と、光源装置から射出された光束を画像情報に応じて変調して光学像を形成する光変調装置と、光変調装置で形成された光学像を投写する投写光学装置と、冷却用の冷却ファンと、光源装置、光変調装置、投写光学装置、および冷却ファンを内部に収容する外装筐体と、を備えたプロジェクタであって、外装筐体は、外装筐体のベースとなるベース筐体と、ベース筐体の所定の領域において間隙を確保して重なるカバー筐体と、を有する二重化構造として構成されていることを特徴とする。
【０００９】
このようなプロジェクタによると、光源装置、光変調装置、投写光学装置、および冷却ファンを内部に収容する外装筐体は、ベース筐体とカバー筐体とを有する二重化構造として構成されている。そして、ベース筐体は外装筐体のベースとなる筐体として構成されている。また、カバー筐体は、ベース筐体の所定の領域において間隙を確保して重なるように構成されている。外装筐体がこのような二重化構造として構成されることにより、所定の領域で、外装筐体（ベース筐体またはカバー筐体）は、発熱する光学装置（例えば、光源装置や光変調装置など）の熱の伝達を遮る性能（遮熱性）を向上させることができる。または、冷却ファンの振動や動作音が外装筐体に伝達し難くなり、騒音の低減化を図ることができる。または、外装筐体の耐衝撃性を向上させることができる。
【００１０】
（適用例２）上記のプロジェクタであって、外装筐体は、所定の領域として、外装筐体内部に収容される光源装置と光変調装置と投写光学装置と冷却ファンとを含むプロジェクタの構成部材の、少なくともいずれか１つと対向する領域に二重化構造を有していることが好ましい。
【００１１】
このようなプロジェクタによると、外装筐体は、所定の領域として、外装筐体内部に収容される光源装置と光変調装置と投写光学装置と冷却ファンとを含むプロジェクタの構成部材の、少なくともいずれか１つと対向する領域に二重化構造を有することにより、例えば、発熱する光源装置や光変調装置などの熱が最も伝わり易くなる対向した領域に二重化構造を有することで、遮熱性を向上させることができるため、熱による不快さを低減させるためには効率的である。または、例えば、冷却ファンなどの騒音の原因となる構成部材に対向した領域に二重化構造を有することで、騒音の低減化を効率的に図ることができる。または、光源装置と光変調装置と投写光学装置と冷却ファンと他の構成部材の少なくともいずれか１つと対向する領域に二重化構造を有することで、プロジェクタを落下などした場合における外装筐体の耐衝撃性を向上させることができ、対向する構成部材への衝撃を低減させることができる。
【００１２】
（適用例３）上記のプロジェクタであって、外装筐体は、所定の領域として、外装筐体に設置される操作用のスイッチの周辺領域に二重化構造を有していることが好ましい。
【００１３】
このようなプロジェクタによると、最もユーザの指先が触れる個所となる操作用のスイッチに対して、その操作用のスイッチの周辺領域の外装筐体に二重化構造を有することにより、操作用スイッチの操作に伴ってユーザの手や指先が接触する機会が多く発生する操作用スイッチの周辺領域となる外装筐体への遮熱性を向上させることができ、熱による不快さを効率的に低減させることができる。
【００１４】
（適用例４）上記のプロジェクタであって、カバー筐体は、ベース筐体の外面側に設置されていることが好ましい。
【００１５】
このようなプロジェクタによると、カバー筐体は、ベース筐体の外面側に設置されることにより、プロジェクタの概観面とすることができるため、プロジェクタのデザインの自由度を向上させることができる。例えば、ベース筐体とカバー筐体との配色や形状などの自由度を向上させることができ、プロジェクタのデザインのバリエーションを容易に向上させることができる。
【００１６】
（適用例５）上記のプロジェクタであって、二重化構造は、ベース筐体とカバー筐体とを溶着により固定して構成されていることが好ましい。
【００１７】
このようなプロジェクタによると、二重化構造は、ベース筐体とカバー筐体とを溶着により固定して構成されることにより、簡易で確実に、所定の領域において間隙を確保して重なる二重化構造を構成することができる。
【発明を実施するための最良の形態】
【００１８】
以下、実施形態を図面に基づいて説明する。
図１は、実施形態に係るプロジェクタの概略斜視図である。図１を参照して、プロジェクタ１の外観上の構成を説明する。
【００１９】
プロジェクタ１は、光源装置から射出された光束を、画像情報に応じて光変調装置で変調して光学像を形成し、その光学像を投写光学装置を介し、画像（例えば、カラー画像）としてスクリーン（図示省略）などに投写するものである。このプロジェクタ１は、図１に示すように、略直方体形状の外装筐体１０で覆われている。この外装筐体１０は、プロジェクタ１の底面１ｂを構成するロアー筐体１１と、底面１ｂ以外の５面（上面１ａ、前面１ｃ、背面１ｄ、右面１ｅ、左面１ｆ）を覆うベース筐体としてのアッパー筐体１２と、プロジェクタ１の上面１ａ、前面１ｃ、背面１ｄを略半分覆い、アッパー筐体１２の外面側に重なる形態でアッパー筐体１２に固定されて二重化構造を構成するカバー筐体１３とで構成されている。
【００２０】
なお、画像を投写する投写光学装置（投写レンズ６６）は、外装筐体１０内部に収容されている。そして、プロジェクタ１の上面１ａのアッパー筐体１２とカバー筐体１３には投写レンズ６６の投写倍率調整や焦点調整を行う際にユーザが指先を挿入するための調整用開口部１２１，１３１が形成されている。また、プロジェクタ１の前面１ｃのアッパー筐体１２とカバー筐体１３には、プロジェクタ１が画像を投写する際に画像光が通過する投写用開口部１２２，１３２が形成されている。
【００２１】
なお、アッパー筐体１２の調整用開口部１２１とカバー筐体１３の調整用開口部１３１とは、略同一の外形を有して形成されている。同様に、アッパー筐体１２の投写用開口部１２２とカバー筐体１３の投写用開口部１３２とは、略同一の外形を有して形成されている。
【００２２】
なお、アッパー筐体１２の内面側には、アッパー筐体１２とカバー筐体１３の調整用開口部１２１，１３１と、投写用開口部１２２，１３２との周辺に介在してスライド自在に構成される開閉蓋１５が設置されている。この開閉蓋１５は、プロジェクタ１を使用しない場合などには、開閉蓋１５に突設された把持部１５ａを把持して開閉蓋１５をスライドさせることにより、調整用開口部１２１，１３１と投写用開口部１２２，１３２とを覆う（閉塞する）ことができる（図１に示す状態）。また逆に、プロジェクタ１を使用する場合などには、把持部１５ａを把持して開閉蓋１５をスライドさせることにより、調整用開口部１２１，１３１と投写用開口部１２２，１３２とを開放することができる。
【００２３】
また、プロジェクタ１の上面１ａには、アッパー筐体１２とカバー筐体１３とに各種サイズの操作スイッチ用開口部１２３，１３３が形成されており、この操作スイッチ用開口部１２３，１３３を介して、アッパー筐体１２の内面側に設置される操作スイッチ１８のキートップ１８ａが挿通されている。なお、アッパー筐体１２の操作スイッチ用開口部１２３とカバー筐体１３の操作スイッチ用開口部１３３とは、略同一の各種外形を有して形成されている。
【００２４】
また、プロジェクタ１は、プロジェクタ１の上面１ａで、左面１ｆと背面１ｄとのコーナ部には、後述する光源装置６１（図２参照）を交換する際に開閉する光源装置用蓋１４が設置されている。なお、光源装置用蓋１４は、光源装置用蓋１４に相対してアッパー筐体１２に形成された光源装置用開口部１２８（図４参照）を覆う形態で設置されている。また、プロジェクタ１の右端部には、アッパー筐体１２の外面で、プロジェクタ１の上面１ａ、前面１ｃ、背面１ｄにかけて設置されるプロジェクタ１の持ち運び用のハンドル１６が設置されている。プロジェクタ１を持ち運ぶ際には、このハンドル１６を図１に示す状態から右面１ｅ側に略直角に回転させ、ハンドル１６を把持することになる。
【００２５】
また、プロジェクタ１の右面１ｅには、アッパー筐体１２において、外気を外装筐体１０内部に導入するための吸気口１２４（図４参照）が形成され、その吸気口１２４を覆う形態で吸気用枠１７が設置されている。この吸気用枠１７および吸気口１２４を介して導入された空気は、後述する冷却ファン２０（図２参照）により、発熱する光学装置などを冷却している。
【００２６】
また、プロジェクタ１の左面１ｆには、外装筐体１０内部の光学装置などが発熱して温まった空気をプロジェクタ１の外部に排気する排気口１２９（図４参照）などが形成されている。また、プロジェクタ１の背面１ｄには、外部の装置と信号の授受を行うインターフェース部（図示省略）などが設置されている。また、プロジェクタ１の底面１ｂには、プロジェクタ１の投写角度を調整する脚（図示省略）などが設置されている。
【００２７】
図２は、プロジェクタの分解斜視図である。詳細には、図２は、プロジェクタ１からアッパー筐体１２と、アッパー筐体１２に支持固定される、カバー筐体１３と光源装置用蓋１４とハンドル１６と、を一体に取り外した斜視図であり、操作スイッチ１８や開閉蓋１５などは省略している。図２を参照して、プロジェクタ１の内部（外装筐体１０の内部）の概略構成を説明する。
【００２８】
図２に示すように、プロジェクタ１の内部には、光学ユニット６０や冷却ファン２０の他、プロジェクタ１内部の各構成部材に電力を供給する電源ユニット３０や、光源装置６１に所定の電力を供給するバラスト４０や、プロジェクタ１内部の各構成部材を制御する制御基板ユニット５０などが配設されている。
【００２９】
このようなプロジェクタ１を動作させた場合には、電源ユニット３０やバラスト４０が発熱する。また、光源装置６１が発光することにより光源装置６１が発熱する。また、光源装置６１から射出される光束により、後述する光学ユニット６０を構成する偏光変換素子６２３（図３参照）や、光変調装置６５ａを含む光学像形成装置６５（図３参照）などが発熱する。また、制御基板ユニット５０などを構成するＣＰＵ（Central Processing Unit）（図示省略）なども発熱する。
【００３０】
冷却ファン２０は、２つの吸気用ファン２１，２２と、排気用ファン２３とで構成されている。そして、吸気用ファン２１，２２の駆動により、プロジェクタ１外部の空気を吸気用枠１７、吸気口１２４（図４参照）、および塵埃を除去するフィルタ１７ａを介してプロジェクタ１内部に導入する。そして、上述した発熱する偏光変換素子６２３や、光変調装置６５ａを含む光学像形成装置６５などに対して空気を流通させ、その結果、プロジェクタ１内部の温まった空気を排気用ファン２３により、プロジェクタ１外部に排気口１２９を介して排気することにより、これらの構成部材を冷却する。また、排気用ファン２３は、光源装置６１の近傍に設置されており、上述した発熱する光源装置６１や制御基板ユニット５０なども冷却している。偏光変換素子６２３や、光変調装置６５ａを含む光学像形成装置６５などに冷却空気を送り込むために吸気用ファン２１，２２は２つ配置されているため、吸気用ファン２１，２２の周囲からの騒音が他の箇所より大きくなる。
【００３１】
なお、本実施形態では、カバー筐体１３は、ベース筐体としてのアッパー筐体１２において、光変調装置６５ａと、投写レンズ６６と、吸気用ファン２１，２２と、制御基板ユニット５０とに対向する領域に二重化する形態としている。また、本実施形態では、カバー筐体１３は、ベース筐体としてのアッパー筐体１２において、操作スイッチ１８が設置される周辺領域に二重化する形態ともなっている。
【００３２】
図３は、光学ユニットの構成を模式的に示す図である。図３を参照して、光学ユニット６０の構成を簡略に説明する。
光学ユニット６０は、制御基板ユニット５０による制御に基づき、光源装置６１から射出された光束を光学的に処理して画像情報に対応したカラー画像を形成し、スクリーンなどに投写する。この光学ユニット６０は、図３に示すように、光源装置６１と、照明光学装置６２と、色分離光学装置６３と、リレー光学装置６４と、光学像形成装置６５と、投写光学装置としての投写レンズ６６と、光学装置用筐体６７とを備える。
【００３３】
なお、光源装置６１は、光源ランプ６１１やリフレクタ６１２などを有している。また、照明光学装置６２は、レンズアレイ６２１，６２２、偏光変換素子６２３、および重畳レンズ６２４などを有している。また、色分離光学装置６３は、ダイクロイックミラー６３１，６３２、および反射ミラー６３３などを有している。また、リレー光学装置６４は、入射側レンズ６４１、リレーレンズ６４２、および反射ミラー６４３，６４４などを有している。
【００３４】
また、光学像形成装置６５は、制御基板ユニット５０による制御に基づいて光源装置６１から射出された光束を画像情報に応じて変調して光学像を形成する光変調装置６５ａとしての３つの液晶パネル６５１（赤色光側を液晶パネル６５１Ｒ、緑色光側を液晶パネル６５１Ｇ、青色光側を液晶パネル６５１Ｂとする）を有している。また、光学像形成装置６５は、３つの入射側偏光板６５２、３つの射出側偏光板６５３、および３つの液晶パネル６５１で変調されて形成された光学像を合成してカラー画像を形成する色合成光学装置としてのクロスダイクロイックプリズム６５４などを有している。
【００３５】
投写光学装置としての投写レンズ６６は、光学像形成装置６５で形成されたカラー画像をスクリーン（図示省略）などに拡大投写する。また、光学装置用筐体６７は、各光学装置６１〜６６を内部に設定された照明光軸Ａに対する所定位置に収容している。
なお、上述した各光学装置６１〜６６については、種々の一般的なプロジェクタの光学系として利用されているため、詳細な説明を省略する。
【００３６】
図４は、外装筐体の二重化構造を示す斜視図であり、図４（ａ）は、外装筐体を上方から観た斜視図であり、図４（ｂ）は、外装筐体を下方から観た斜視図である。図５は、二重化構造における固定方法の説明図である。図４は、詳細には、二重化構造を構成するアッパー筐体１２とカバー筐体１３とを、それぞれ取り外した状態の斜視図を示している。また、図５は、詳細には、アッパー筐体１２とカバー筐体１３との固定部分を拡大して示した断面図である。図４、図５を参照して、外装筐体１０の二重化構造を説明する。
【００３７】
アッパー筐体１２は、図１で説明したように、プロジェクタ１の上面１ａ、前面１ｃ、背面１ｄ、右面１ｅ、および左面１ｆを覆うベース筐体として箱状に形成されている。また、アッパー筐体１２は、合成樹脂材料により形成されている。そして、図４に示すように、アッパー筐体１２は、アッパー筐体１２の上面１２ａ（上面１ａに対応）、前面１２ｃ（前面１ｃに対応）、および背面１２ｄ（背面１ｄに対応）の右側略半分の領域には、外面から一段下がって形成されるカバー筐体用凹部１２５が形成されている。また、このカバー筐体用凹部１２５の上面１２ａには、前述した調整用開口部１２１や操作スイッチ用開口部１２３が形成される他、カバー筐体１３を固定するための後述する固定用受部１２６が右面１２ｅ側から左面１２ｆ側の方向に複数形成されている。また、カバー筐体用凹部１２５の前面１２ｃには、前述した投写用開口部１２２が形成されている。
【００３８】
また、アッパー筐体１２のカバー筐体用凹部１２５の右端部には、ハンドル１６を設置するために段差を有して形成されるハンドル用凹部１２７が形成されている。また、アッパー筐体１２の上面１２ａで、背面１２ｄと左面１２ｆとのコーナ部には、光源装置６１を交換するための光源装置用開口部１２８が外面から段差を有して形成されている。
【００３９】
カバー筐体１３は、アッパー筐体１２と同様の合成樹脂材料により形成されている。そして、図４に示すように、カバー筐体１３は、アッパー筐体１２に形成されるカバー筐体用凹部１２５の外面側に重ねて載置され固定される部材として構成されている。また、カバー筐体１３は、カバー筐体用凹部１２５の外形形状と略同一で、略重なる形状に形成され、アッパー筐体１２に固定されて二重化されることにより、外装筐体１０としてデザイン上で一体感が出るように形成されている。
【００４０】
図１で説明したように、カバー筐体１３には、アッパー筐体１２に形成される調整用開口部１２１、投写用開口部１２２、および操作スイッチ用開口部１２３に対応して、略同一の外形で、調整用開口部１３１、投写用開口部１３２、および操作スイッチ用開口部１３３が形成されている。また、カバー筐体１３の内面側には、アッパー筐体１２に形成される固定用受部１２６に対応して、固定用受部１２６に沿う形態で固定用突起１３４が形成されている。
【００４１】
なお、図２で説明したように、本実施形態では、カバー筐体１３は、ベース筐体としてのアッパー筐体１２において、光変調装置６５ａと、投写レンズ６６と、吸気用ファン２１，２２と、制御基板ユニット５０とに対向する領域となり、併せて、操作スイッチ１８が設置される周辺領域となるカバー筐体用凹部１２５の外面側に二重化する形態としている。また、本実施形態では、アッパー筐体１２の外面の塗装色と、カバー筐体１３の外面の塗装色とを異ならせている。
【００４２】
ここで、図５を参照して、アッパー筐体１２とカバー筐体１３とを固定して二重化するための方法に関して説明する。
図５は、アッパー筐体１２の固定用受部１２６と、カバー筐体１３の固定用突起１３４とを垂直に切断した状態の拡大断面図を示している。図５に示すように、アッパー筐体１２の固定用受部１２６は、詳細には、カバー筐体１３の固定用突起１３４を受けるための溝部１２６１と、その溝部１２６１の両外縁に沿ってカバー筐体用凹部１２５から突出するカバー筐体受部１２６２とで構成されている。
【００４３】
また、カバー筐体１３の固定用突起１３４は、詳細には、固定用受部１２６の溝部１２６１の略中央に位置するように、カバー筐体１３の内面１３ｓからアッパー筐体１２のカバー筐体用凹部１２５に向かって突出して形成されている。なお、固定用突起１３４は、溝部１２６１に沿って、断面が略三角形状となる三角突起１３４１を有して形成されている。また、この三角突起１３４１は、カバー筐体１３をアッパー筐体１２に載置した場合、溝部１２６１の深さ（高さ）より高くなるように形成されている。
【００４４】
このように形成されるアッパー筐体１２とカバー筐体１３に対し、最初に、アッパー筐体１２にカバー筐体１３を載置する。次に、本実施形態では、カバー筐体１３の固定用突起１３４の部位に相対するカバー筐体１３の上面（外面）側から溶着用の治具であるホーン（図示省略）を当接し、超音波を印加する。これにより、固定用突起１３４の三角突起１３４１の先端部分と、三角突起１３４１の先端部分に当接している固定用受部１２６の溝部１２６１とが超音波により溶け合うことになる。この溶着は、固定用受部１２６のカバー筐体受部１２６２にカバー筐体１３の内面１３ｓが当接するまで行った後、止める。なお、溝部１２６１に固定された溶着後の三角突起１３４１の先端部分の形状を符号の１３４１ａで模式的に示している。
【００４５】
以上のようにして、アッパー筐体１２とカバー筐体１３とが固定され、二重化構造が形成される。なお、本実施形態では、二重化構造において、アッパー筐体１２のカバー筐体用凹部１２５の外面１２５ｓとカバー筐体１３の内面１３ｓとに間隙Ｓが形成される構造としている。また、この間隙Ｓの量は、本実施形態では、略一定としている。この間隙Ｓにより空気層を間に有した二重化構造により、アッパー筐体１２のカバー筐体用凹部１２５からカバー筐体１３への熱の伝達を遮る性能や、振動の伝達を遮る性能や、外装筐体１０としての耐衝撃性能を向上させている。
【００４６】
上述した実施形態によれば以下の効果が得られる。
（１）本実施形態のプロジェクタ１における外装筐体１０は、外装筐体１０のベースとなるアッパー筐体１２と、アッパー筐体１２の所定の領域において間隙Ｓを確保して重なるカバー筐体１３と、を有する二重化構造として構成されている。このような二重化構造により外装筐体１０（アッパー筐体１２）は、所定の領域で、発熱する光学装置からカバー筐体１３への熱の伝達を遮る性能（遮熱性）を向上させることができる。また、冷却ファン２０の振動や動作音がカバー筐体１３に伝達し難くなり、プロジェクタ１の騒音の低減化を図ることができる。また、アッパー筐体１２の耐衝撃性を向上させることができる。
【００４７】
（２）本実施形態のプロジェクタ１において、アッパー筐体１２は、所定の領域として、光変調装置６５ａ、投写レンズ６６、吸気用ファン２１，２２、および制御基板ユニット５０に対向する領域に二重化構造を有している。従って、光変調装置６５ａや制御基板ユニット５０の発熱による熱が、最も伝わり易い対向した領域に二重化構造を有することにより、アッパー筐体１２からカバー筐体１３への熱の伝達を効率的に遮ることができる。これにより、ユーザが、カバー筐体１３の外面（プロジェクタ１の外面）に触れた場合に、熱による不快感を感じさせなくすることができる。特に、操作スイッチ１８の設置される周辺領域を二重化構造とすることにより、カバー筐体１３のうち特に手に触れやすい領域で熱による不快感を感じさせなくすることができる。また、吸気用ファン２１，２２の振動や動作音がカバー筐体１３に伝達し難くなり、騒音の低減化を効率的に図ることができる。また、ユーザが、プロジェクタ１を持ち運ぶ際に、プロジェクタ１を落下したり、ぶつけたりした場合におけるアッパー筐体１２の耐衝撃性を向上させることができる。これにより、二重化構造に対向する領域に設置される構成部材への衝撃を低減させることができる。
【００４８】
（３）本実施形態のプロジェクタ１において、カバー筐体１３は、アッパー筐体１２の外面側に設置されることにより、プロジェクタ１の概観面とすることができ、本実施形態では、アッパー筐体１２の外面の塗装色と、カバー筐体１３の外面の塗装色とを異ならせている。このように、アッパー筐体１２とカバー筐体１３との配色におけるデザインの自由度を向上させることができ、プロジェクタ１のデザインのバリエーションを容易に向上させることができる。
【００４９】
（４）本実施形態のプロジェクタ１において、二重化構造は、溶着により、アッパー筐体１２とカバー筐体１３とを固定することで構成しているため、簡易で確実に、二重化構造を構成することができる。
【００５０】
なお、上述した実施形態に限定されず、種々の変更や改良などを加えて実施することが可能である。変形例を以下に述べる。
【００５１】
（変形例１）前記実施形態では、アッパー筐体１２をベース筐体としているが、ロアー筐体１１をベース筐体としてもよく、ロアー筐体１１とカバー筐体とにより、二重化構造を構成してもよい。
【００５２】
（変形例２）前記実施形態では、カバー筐体１３はアッパー筐体１２の外面側に設置する形態としているが、これに限られず、カバー筐体の設置は、ベース筐体の外面側でも内面側でもよいため、カバー筐体をアッパー筐体１２の内面側に有する形態としてもよい。
【００５３】
（変形例３）前記実施形態では、所定の領域として、光変調装置６５ａ、投写レンズ６６、吸気用ファン２１，２２、および制御基板ユニット５０に対向する領域に二重化構造を有している。しかし、これに限られず、他の発熱する構成部材（例えば、光源装置６１、電源ユニット３０、バラスト４０など）や振動する他の構成部材（例えば、排気用ファン２３など）に対向する領域に二重化構造を有してもよい。また、これらの構成部材や他のプロジェクタ１を構成する構成部材の少なくともいずれか１つと対向する領域に二重化構造を有することでよい。
【００５４】
（変形例４）前記実施形態での間隙Ｓは、略一定となるように構成されているが、間隙Ｓは一定でなくてもよい。
【００５５】
（変形例５）前記実施形態では、アッパー筐体１２とカバー筐体１３とを溶着により固定している。しかし、これに限られず、両面テープ部材や接着剤を用いて固定しても良い。
【００５６】
（変形例６）前記実施形態では、アッパー筐体１２の外面の塗装色と、カバー筐体１３の外面の塗装色とを異ならせている。しかし、配色だけでなく、カバー筐体１３の形状も変えられるため、形状におけるデザインの自由度を向上させることができ、プロジェクタのデザインのバリエーションを向上させることができる。
【００５７】
（変形例７）前記実施形態では、光変調装置６５ａに３つの液晶パネル６５１を用いたプロジェクタ１を説明したが、これに限られない。例えば、１つの液晶パネルのみを用いたプロジェクタ、２つの液晶パネルを用いたプロジェクタ、あるいは、４つ以上の液晶パネルを用いたプロジェクタにも適用可能である。
【００５８】
（変形例８）前記実施形態では、透過型の液晶パネル６５１を用いているが、反射型の液晶パネルなど、反射型の光変調装置を用いることも可能である。
【００５９】
（変形例９）前記実施形態では、光変調装置６５ａに液晶パネル６５１を用いている。しかし、これに限られず、一般に、入射光を画像情報に応じて変調するものであればよく、マイクロミラー型光変調素子などを用いても良い。なお、マイクロミラー型光変調素子としては、例えば、ＤＭＤ（Digital Micromirror Device）を用いることができる。
【００６０】
（変形例１０）前記実施形態では、光源装置６１に放電式ランプを用いているが、これに限られず、ＬＥＤ（Light Emitting Diode）、ＬＤ（Laser Diode）などを用いることができる。
【００６１】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【００６２】
【図１】実施形態に係るプロジェクタの概略斜視図。
【図２】プロジェクタの分解斜視図。
【図３】光学ユニットの構成を模式的に示す図。
【図４】外装筐体の二重化構造を示す斜視図であり、（ａ）は外装筐体を上方から観た斜視図であり、（ｂ）は外装筐体を下方から観た斜視図。
【図５】二重化構造における固定方法の説明図。
【符号の説明】
【００６３】
１…プロジェクタ、１０…外装筐体、１２…アッパー筐体、１３…カバー筐体、２０…冷却ファン、６０…光学ユニット、６１…光源装置、６５ａ…光変調装置、６６…投写レンズ、Ｓ…間隙。
【図１】
2009128738.tif 000003
【図２】
2009128738.tif 000004
【図３】
2009128738.tif 000005
【図４】
2009128738.tif 000006
【図５】
2009128738.tif 000007